(57)【特許請求の範囲】
【請求項１】
画像を出力する際の出力サイズを指定するユーザからの操作入力を受け付ける入力受付手段と、
原稿に表される画像を読み取って、当該画像を表す画像データを生成する読取手段と、
前記読取手段が生成した前記画像データを記憶する記憶手段と、
前記記憶手段に記憶された前記画像データによって表される画像の特徴を判定する特徴判定手段と、
前記特徴判定手段の判定結果に基づいて、前記画像データに対して画像処理を行い、画像処理後の画像データを出力する画像データ処理手段と、
前記画像データ処理手段が行う前記画像処理を制御する制御手段と、
前記画像データ処理手段が行った前記画像処理後の画像データを用いて画像を転写紙に出力する又は当該画像データを外部装置に出力する出力手段とを備え、
前記制御手段は、前記入力受付手段が受け付けた前記出力サイズより前記原稿に表される画像のサイズが大きい場合、前記記憶手段に記憶された前記画像データを用いて、当該出力サイズに応じた画像を表す対象画像データを生成し、
前記特徴判定手段は、前記制御手段が生成した前記対象画像データによって表される画像の特徴を判定し、
前記画像データ処理手段は、前記対象画像データに対する前記特徴判定手段の判定結果に基づいて、当該対象画像データに対して画像処理を行い、前記画像処理後の対象画像データを出力し、
前記出力手段は、前記画像処理後の対象画像データを用いて画像を転写紙に出力する又は当該画像処理後の対象画像データを外部装置に出力する
ことを特徴とする画像処理装置。
【請求項２】
前記特徴判定手段は、前記画像の像域が線画領域か否かを判定することにより、前記画像の画質を前記特徴として判定し、
前記画像データ処理手段は、前記画像の像域が線画領域であると判定された場合、前記画像が文字画像であるとして色変換を行い、前記画像の像域が線画領域ではないと判定された場合前記画像が写真画像であるとしてフィルタ処理を行う
ことを特徴とする請求項１に記載の画像処理装置。
【請求項３】
前記特徴判定手段は、前記画像に表れる色が、白黒のみか白黒以外の色を含むかを判定することにより、前記画像の色を前記特徴として判定し、
前記画像データ処理手段は、前記画像に表れる色が白黒のみ含むと判定された場合、前記画像がモノクロ画像であるとして色変換を行い、前記画像に表れる色が白黒以外の色を含むと判定された場合、前記画像がカラー画像であるとして色変換を行う
ことを特徴とする請求項１に記載の画像処理装置。
【請求項４】
前記入力受付手段は、変倍率を指定する操作入力を更に受け付け、
前記制御手段は、前記入力受付手段が受け付けた変倍率を加味した前記出力サイズに応じた画像のサイズより前記原稿に表される画像のサイズが大きい場合、前記記憶手段に記憶された前記画像データを用いて、当該変倍率を加味した前記出力サイズに応じた画像を表す対象画像データを生成し、
前記特徴判定手段は、前記対象画像データによって表される画像の特徴を判定し、
前記画像データ処理手段は、前記対象画像データに対する前記特徴判定手段の判定結果に基づいて、当該対象画像データに対して、前記変倍率で前記画像を変倍する変倍処理を含む画像処理を行い、前記画像処理後の対象画像データを出力する
ことを特徴とする請求項１乃至３のいずれか一項に記載の画像処理装置。
【請求項５】
前記入力受付手段は、領域の付加を指示する操作入力を更に受け付け、
前記制御手段は、前記入力受付手段が受け付けた前記領域の付加に伴う他の領域の削除を加味した前記出力サイズに応じた画像のサイズより前記原稿に表される画像のサイズが大きい場合、前記記憶手段に記憶された前記画像データを用いて、当該他の領域の削除を加味した前記出力サイズに応じた画像を表す対象画像データを生成し、
前記特徴判定手段は、前記対象画像データによって表される画像の特徴を判定し、
前記画像データ処理手段は、前記対象画像データに対する前記特徴判定手段の判定結果に基づいて、前記画像に前記領域を付加する領域追加処理を含む画像処理を行い、前記画像処理後の対象画像データを出力する
ことを特徴とする請求項１乃至３のいずれか一項に記載の画像処理装置。
【請求項６】
前記入力受付手段は、領域の付加を指示する操作入力を更に受け付け、
前記制御手段は、前記入力受付手段が受け付けた変倍率及び前記入力受付手段が受け付けた前記領域の付加に伴う他の領域の削除を加味した前記出力サイズに応じた画像のサイズより前記原稿に表される画像のサイズが大きい場合、前記記憶手段に記憶された前記画像データを用いて、当該変倍率及び当該他の領域の削除を加味した前記出力サイズに応じた画像を表す対象画像データを生成し、
前記特徴判定手段は、前記対象画像データによって表される画像の特徴を判定し、
前記画像データ処理手段は、前記対象画像データに対する前記特徴判定手段の判定結果に基づいて、前記変倍率で前記画像を変倍する変倍処理及び変倍後の前記画像に前記領域を付加する領域追加処理を含む画像処理を行い、前記画像処理後の対象画像データを出力する
ことを特徴とする請求項４に記載の画像処理装置。
【請求項７】
前記制御手段は、複数枚の原稿によって表される画像を１つの画像に集約することを指示すると共にその集約枚数を指定する操作入力を前記入力受付手段が更に受け付けた場合、前記記憶手段に記憶された前記画像データを用いて、当該集約枚数及び前記出力サイズに応じた画像を表す対象画像データを生成し、
前記特徴判定手段は、前記対象画像データによって表される画像の特徴を判定し、
前記画像データ処理手段は、前記対象画像データに対する前記特徴判定手段の判定結果に基づいて、当該対象画像データに対して画像処理を行い、画像処理後の対象画像データを出力する
ことを特徴とする請求項１乃至６のいずれか一項に記載の画像処理装置。
【請求項８】
前記制御手段は、１枚の原稿によって表される画像を複数の画像に分割することを指示すると共に、その分割枚数を指定する操作入力を前記入力受付手段が更に受け付けた場合、前記記憶手段に記憶された前記画像データを用いて、当該分割枚数及び前記出力サイズに応じた画像を表す対象画像データを複数生成し、
前記特徴判定手段は、複数の前記対象画像データによって表される画像の特徴を各々判定し、
前記画像データ処理手段は、複数の前記対象画像データに対する前記特徴判定手段の各判定結果に基づいて、当該各対象画像データに対して画像処理を各々行い、画像処理後の対象画像データを各々出力する
ことを特徴とする請求項１乃至７のいずれか一項に記載の画像処理装置。
【請求項９】
前記特徴判定手段は、前記記憶手段に記憶された前記画像データによって表される画像の特徴を判定する第１特徴判定手段と、前記制御手段が生成した前記対象画像データによって表される画像の特徴を判定する第２特徴判定手段とを有する
ことを特徴とする請求項１乃至８のいずれか一項に記載の画像処理装置。
【発明の詳細な説明】
【技術分野】
【０００１】
本発明は、画像データに対して画像処理を行う画像処理装置に関する。
【背景技術】
【０００２】
従来より、PPC（Plain Paper Copier）などのアナログ複写機があった。近年、CCD光電変換素子からなるラインセンサを用いた読み取り装置や、レーザー照射によるトナー書き込み装置の発展により、デジタル化された画像データを用いてコピーを行うデジタル複写機が登場した。デジタル複写機が登場してからは、画像データを扱う他の装置との親和性が高まった。このため、複写機としての機能だけでなく、ファクシミリ機能、プリンタ機能、スキャナ機能等、いろいろな機能と複合したデジタル複合機（MFP）が開発された。このようなMFPに関連する技術も進歩している。例えば、HDDドライブ等メモリの大容量化や低コスト化、ネットワーク通信などの通信技術の高速化や普及、CPUの処理能力の向上や画像データに関連する技術（圧縮技術等）等である。このような技術の進歩に伴い、MFPに搭載される機能も、多種・多様化してきている。このため、MFPの使われ方も多種・多様化してきている。例えば、小型MFPは、PC（Personal Computer）の横にPCとペアで設置されて、複写・ファクシミリ・プリンタ・スキャナの各機能が操作者により手軽に使用される。ある程度の生産性やソート・パンチ・ステープル等の機能を有する中型のMFPは、部署や課単位の複数名で共有され、各機能が使用される。高生産性を有し高品位で多機能な大型のMFPは、企業の中で複写関連業務を集中して行う部署、もしくは複写関連業務そのものを生業とする会社で使用される。このように小型クラスから大型クラスまでMFPは多様化してきている。このようなMFPには各クラスに亘って共有できる機能も存在する一方、クラス毎に求められる機能が異なる場合もある。たとえば大型クラスでは、パンチ・ステープル・紙折り等、プロット後の紙に対する後加工や、複写業務と同時に電子ファイリング化すること等が求められる。小型クラスでは、インターネットFAXやPC−FAX等の充実や、個人的な使用目的として、専用紙に対する高品位な画像の印刷等が求められる。このように多種・多様化してきているMFP市場に対して、近年では、各クラスに必要な機能をセットにしたシステムを構築し、販売・提供していた。
【０００３】
ところで、ビジネスにおける情報価値の重要性は既に認知されている。情報を早く・正確に・確実に伝えるだけでなく、分かりやすく・効果的に伝えることもビジネスにおいては要求されている。通信技術の高速化/普及化・メモリの大容量化/低コスト化/小型化・PCの高性能化に伴い、デジタルデータを利用した情報を効率的に扱う新しい機能が提供されてきている。デジタルデータの一部である画像データを扱うMFPにも、次々と新機能の提供や機能の融合が図られてきている。例えば、メモリの大容量化・低コスト化と、紙の原稿からスキャンした画像をデジタル化して画像データにするMFPが有する機能とが融合して進化して以下のような使われ方が増えてきている。MFP内部に画像データを保存しておき、必要に応じて、画像データを用いて、基の原稿から読み取った画像を再出力するという使われ方である。しかし、このようにMFP内部に保存しておいた画像データを用いて画像を再出力する場合、画像データを保存してから時間が経過していることが多い。このため、再出力時にはユーザの状況、ニーズが変化することが多くなっている。
【０００４】
一方、コピーやスキャンされる対象の原稿によって表される画像（原稿画像）は、さまざまな特徴を備えている。そこでMFPにおいては、原稿画像の特徴的な部分を抽出し、その抽出した結果を用いてフィルタ処理や色補正処理、中間調処理などの画像処理を施している（例えば、特許文献１〜２参照）。また、特徴的な部分の抽出時に、原稿画像をスキャンした画像データ及びその特徴的な部分を示す識別信号も一緒にＨＤＤに保存してその後、出力用途に応じた画像処理を施す画像処理装置がある（例えば、特許文献３参照）。この他、コピーやスキャンした原稿画像の特徴の判定して、判定結果に基づいて、画像処理を行う画像処理装置がある。例えば、画像の特徴としてカラーかモノクロかを判定するカラー判定処理を自動で行い、カラー又はモノクロかに応じて画像処理を施す画像処理装置がある（例えば、特許文献４参照）。
【０００５】
【特許文献１】特許第３５６４２１６号
【特許文献２】特許第３５０６８４８号
【特許文献３】特許第３６４７３４７号
【特許文献４】特許第３３３０３９２号
【発明の開示】
【発明が解決しようとする課題】
【０００６】
このように機能が多種多様化しているMFPにおいて、原稿のサイズ(原稿サイズ)と、出力のサイズ（出力サイズ）とが異なる使い方を求められる場合が存在している。例えば、原稿画像を拡大して出力したり、原稿画像の一部のみを出力したりする場合である。このような場合、出力する画像自体の特徴は、原稿画像の特徴と異なる恐れがある。このため、原稿画像の特徴を認識した後、認証結果に基づいて画像処理を行う画像を出力する場合、認識結果がサイズの相違に対して追従できないという恐れがあった。
【０００７】
本発明は、上記に鑑みてなされたものであって、原稿のサイズと、出力のサイズとが異なる場合でも、サイズの相違に伴う画像の特徴の相違に応じた画像処理を行うことが可能な画像処理装置を提供することを目的とする。
【課題を解決するための手段】
【０００８】
上述した課題を解決し、目的を達成するために、請求項１にかかる発明は、画像処理装置であって、画像を出力する際の出力サイズを指定するユーザからの操作入力を受け付ける入力受付手段と、原稿に表される画像を読み取って、当該画像を表す画像データを生成する読取手段と、前記読取手段が生成した前記画像データを記憶する記憶手段と、前記記憶手段に記憶された前記画像データによって表される画像の特徴を判定する特徴判定手段と、前記特徴判定手段の判定結果に基づいて、前記画像データに対して画像処理を行い、画像処理後の画像データを出力する画像データ処理手段と、前記画像データ処理手段が行う前記画像処理を制御する制御手段と、前記画像データ処理手段が行った前記画像処理後の画像データを用いて画像を転写紙に出力する又は当該画像データを外部装置に出力する出力手段とを備え、前記制御手段は、前記入力受付手段が受け付けた前記出力サイズより前記原稿に表される画像のサイズが大きい場合、前記記憶手段に記憶された前記画像データを用いて、当該出力サイズに応じた画像を表す対象画像データを生成し、前記特徴判定手段は、前記制御手段が生成した前記対象画像データによって表される画像の特徴を判定し、前記画像データ処理手段は、前記対象画像データに対する前記特徴判定手段の判定結果に基づいて、当該対象画像データに対して画像処理を行い、前記画像処理後の対象画像データを出力し、前記出力手段は、前記画像処理後の対象画像データを用いて画像を転写紙に出力する又は当該画像処理後の対象画像データを外部装置に出力することを特徴とする。
【０００９】
また、請求項２にかかる発明は、請求項１にかかる発明において、前記特徴判定手段は、前記画像の像域が線画領域か否かを判定することにより、前記画像の画質を前記特徴として判定し、前記画像データ処理手段は、前記画像の像域が線画領域であると判定された場合、前記画像が文字画像であるとして色変換を行い、前記画像の像域が線画領域ではないと判定された場合前記画像が写真画像であるとしてフィルタ処理を行うことを特徴とする。
【００１０】
また、請求項３にかかる発明は、請求項１にかかる発明において、前記特徴判定手段は、前記画像に表れる色が、白黒のみか白黒以外の色を含むかを判定することにより、前記画像の色を前記特徴として判定し、前記画像データ処理手段は、前記画像に表れる色が白黒のみ含むと判定された場合、前記画像がモノクロ画像であるとして色変換を行い、前記画像に表れる色が白黒以外の色を含むと判定された場合、前記画像がカラー画像であるとして色変換を行うことを特徴とする。
【００１１】
また、請求項４にかかる発明は、請求項１乃至３のいずれか一項にかかる発明において、前記入力受付手段は、変倍率を指定する操作入力を更に受け付け、前記制御手段は、前記入力受付手段が受け付けた変倍率を加味した前記出力サイズに応じた画像のサイズより前記原稿に表される画像のサイズが大きい場合、前記記憶手段に記憶された前記画像データを用いて、当該変倍率を加味した前記出力サイズに応じた画像を表す対象画像データを生成し、前記特徴判定手段は、前記対象画像データによって表される画像の特徴を判定し、前記画像データ処理手段は、前記対象画像データに対する前記特徴判定手段の判定結果に基づいて、当該対象画像データに対して、前記変倍率で前記画像を変倍する変倍処理を含む画像処理を行い、前記画像処理後の対象画像データを出力することを特徴とする。
【００１２】
また、請求項５にかかる発明は、請求項１乃至３のいずれか一項にかかる発明において、前記入力受付手段は、領域の付加を指示する操作入力を更に受け付け、前記制御手段は、前記入力受付手段が受け付けた前記領域の付加に伴う他の領域の削除を加味した前記出力サイズに応じた画像のサイズより前記原稿に表される画像のサイズが大きい場合、前記記憶手段に記憶された前記画像データを用いて、当該他の領域の削除を加味した前記出力サイズに応じた画像を表す対象画像データを生成し、前記特徴判定手段は、前記対象画像データによって表される画像の特徴を判定し、前記画像データ処理手段は、前記対象画像データに対する前記特徴判定手段の判定結果に基づいて、前記画像に前記領域を付加する領域追加処理を含む画像処理を行い、前記画像処理後の対象画像データを出力することを特徴とする。
【００１３】
また、請求項６にかかる発明は、請求項４にかかる発明において、前記入力受付手段は、領域の付加を指示する操作入力を更に受け付け、前記制御手段は、前記入力受付手段が受け付けた変倍率及び前記入力受付手段が受け付けた前記領域の付加に伴う他の領域の削除を加味した前記出力サイズに応じた画像のサイズより前記原稿に表される画像のサイズが大きい場合、前記記憶手段に記憶された前記画像データを用いて、当該変倍率及び当該他の領域の削除を加味した前記出力サイズに応じた画像を表す対象画像データを生成し、前記特徴判定手段は、前記対象画像データによって表される画像の特徴を判定し、前記画像データ処理手段は、前記対象画像データに対する前記特徴判定手段の判定結果に基づいて、前記変倍率で前記画像を変倍する変倍処理及び変倍後の前記画像に前記領域を付加する領域追加処理を含む画像処理を行い、前記画像処理後の対象画像データを出力することを特徴とする。
【００１４】
また、請求項７にかかる発明は、請求項１乃至６のいずれか一項にかかる発明において、前記制御手段は、複数枚の原稿によって表される画像を１つの画像に集約することを指示すると共にその集約枚数を指定する操作入力を前記入力受付手段が更に受け付けた場合、前記記憶手段に記憶された前記画像データを用いて、当該集約枚数及び前記出力サイズに応じた画像を表す対象画像データを生成し、前記特徴判定手段は、前記対象画像データによって表される画像の特徴を判定し、前記画像データ処理手段は、前記対象画像データに対する前記特徴判定手段の判定結果に基づいて、当該対象画像データに対して画像処理を行い、画像処理後の対象画像データを出力することを特徴とする。
【００１５】
また、請求項８にかかる発明は、請求項１乃至７のいずれか一項にかかる発明において、前記制御手段は、１枚の原稿によって表される画像を複数の画像に分割することを指示すると共に、その分割枚数を指定する操作入力を前記入力受付手段が更に受け付けた場合、前記記憶手段に記憶された前記画像データを用いて、当該分割枚数及び前記出力サイズに応じた画像を表す対象画像データを複数生成し、前記特徴判定手段は、複数の前記対象画像データによって表される画像の特徴を各々判定し、前記画像データ処理手段は、複数の前記対象画像データに対する前記特徴判定手段の各判定結果に基づいて、当該各対象画像データに対して画像処理を各々行い、画像処理後の対象画像データを各々出力することを特徴とする。
【００１６】
また、請求項９にかかる発明は、請求項１乃至８のいずれか一項にかかる発明において、前記特徴判定手段は、前記記憶手段に記憶された前記画像データによって表される画像の特徴を判定する第１特徴判定手段と、前記制御手段が生成した前記対象画像データによって表される画像の特徴を判定する第２特徴判定手段とを有することを特徴とする。
【発明の効果】
【００１７】
原稿のサイズと、出力のサイズとが異なる場合でも、サイズの相違に伴う画像の特徴の相違に応じた画像処理を行うことが可能になる。
【発明を実施するための最良の形態】
【００１８】
以下に添付図面を参照して、この発明にかかる画像処理装置の最良な実施の形態を詳細に説明する。
【００１９】
[第１の実施の形態]
（１）構成
図１は、本実施の形態にかかる画像処理装置の構成を示す図である。本図に示すように画像処理装置５０は、読取り装置５１と、画像データ処理装置５２と、ＣＰＵ（Central Processing Unit）５３と、メモリ５４と、書込みＩ／Ｆ（Interface）装置５５と、書込み装置５６と、操作表示装置５７と、回線Ｉ／Ｆ装置５８と、外部Ｉ／Ｆ装置５９と、ＳＢ(South Bridge)６０と、ＲＯＭ（Read Only Memory）６１とを備える。
【００２０】
読取り装置５１は、ＣＣＤ（Charge Coupled Device）光電変換素子からなるラインセンサとＡ／Ｄ（analog to digital）コンバータとそれらを駆動する駆動回路とを具備する（いずれも図示せず）。読取り装置５１は、セットされた原稿に表される画像（原稿画像）をスキャンして、原稿画像の濃淡情報を得て、これを用いて、原稿画像を表しＲＧＢ毎に各８ビットで表現されるＲＧＢ形式の画像データを生成してこれを画像データ処理装置５２に出力する。また、読取り装置５１は、原稿画像のスキャン時に原稿サイズを判定して、これをＣＰＵ５３に出力する。なお、読取り装置５１は、ＡＤＦ（Auto Document Feeder）装置を具備し、セットされた原稿を順次搬送しながら走行体固定で原稿画像をスキャンすることができる。この場合、読取り装置５１は、原稿を搬送させながら、原稿後端を検出するため、原稿画像のスキャン後に原稿サイズを確定して、これをＣＰＵ５３に出力する。画像データ処理装置５２は、読取り装置５１「から出力された画像データに対し、各種画像処理を行う。各種画像処理の詳細については後述する。
【００２１】
ＲＯＭ６１は、ブートプログラムやコピーやスキャンや画像処理を行うための各種プログラムや各種データを記憶する不揮発性メモリである。メモリ５４は、各種プログラムや各種データを一時的に記憶する揮発性メモリである。メモリ５４には、例えば、ＤＩＭＭ(Dual Inline Memory Module)やＨＤＤ(Hard Disk Drive)が使用される。このようなメモリ５４には、複数種のバス規格間をブリッジする際の処理の速度差を吸収するために一時的にやりとりする各種データが記憶されたり、ＣＰＵ５３が画像処理装置５０の制御を行う際に実行するプログラムやその実行時に用いる各種データが記憶されたりする。各種データとしては画像データが記憶される。従って、ＣＰＵ５３はメモリ５４に記憶された画像データを自由に読み出したり書き込んだりすることができる。ＣＰＵ５３は、当該画像処理装置全体を制御するマイクロプロセッサである。ＣＰＵ５３としては、例えば、近年普及してきたIntegrated CPUを用いる。Integrated CPUとは、ＣＰＵコア単体に様々な機能を追加したマイクロプロセッサである。具体的には、例えば、ＰＭＣ社のＲＭ１１１００をＣＰＵ５３として採用する。これには、各種汎用規格Ｉ／Ｆ７８との接続機能や、クロスバースイッチを使ってこれらの各種汎用規格Ｉ／Ｆ７８間を接続する機能がインテグレートされている。汎用規格Ｉ／Ｆ７８とは、例えば、PCI-Expressバスである。ＣＰＵ５３は、通常起動時にＲＯＭ６１に記憶されたブートプログラムを実行してシステムを起動し、その後は高速処理を行うため、高速にアクセス可能なメモリ５４にプログラムを展開してこれを実行することにより各種処理を行う。
【００２２】
書込み装置５６は、例えば、プロッタである。書込み装置５６は、書込みＩ／Ｆ装置５５を介して、ＣＭＹＫ形式に変換された画像データを受け取ると、レーザービームを用いた電子写真プロセスを使って、画像データによって表される画像を転写紙に出力する。書込みＩ／Ｆ装置５５は、汎用規格Ｉ／Ｆ７８を介してＣＭＹＫ形式に変換された画像データをＣＰＵ５３から受け取ると、書込み装置５６に出力するバスブリッジ処理を行う。
【００２３】
ＳＢ６０は、ブリッジ機能を有する汎用の電子デバイスであり、ここでは、ＲＯＭ６１との間をブリッジしている。操作表示装置５７は、各種情報を表示するＬＣＤ（Liquid Crystal Display）などの表示装置と、キースイッチ等を具備しユーザからの操作入力を受け付ける操作装置とが一体的に構成されたものである。ユーザの操作入力としては例えば画像のコピーやスキャンを指示するものや、コピー時の出力サイズや画質モードやカラーモードや変倍率を指定するものや、綴じ代の付加を指示するものや、集約を指示するものなどがある。操作表示装置５７は、汎用規格Ｉ／Ｆ７８を介して、このような操作入力に応じた制御コマンドをＣＰＵ５３に出力したり、ＣＰＵ５３から表示対象として出力された情報を表示させたりする。
【００２４】
回線Ｉ／Ｆ装置５８は、汎用規格Ｉ／Ｆ７８と電話回線とを接続する装置である。この回線Ｉ／Ｆ装置５８により画像処理装置は電話回線を介して例えばＦＡＸ６２とファクシミリ通信を行って画像データの授受を行う。外部Ｉ／Ｆ装置５９は汎用規格Ｉ／Ｆ７８と外部装置とを接続する装置である。この外部Ｉ／Ｆ装置５９により画像処理装置５０は外部装置と接続されて各種データの授受を行う。外部装置としては、例えば、ＰＣ６３や、デジタル複合機であるＭＦＰ６４や、コンパクトフラッシュ（登録商標）カードやＳＤカード６５等の外部メディアである。外部Ｉ／Ｆ装置５９は、ＰＣ６３や、デジタル複合機であるＭＦＰ６４とは、イーサネット（登録商標）などのネットワーク（図示せず）を介して各種データの授受を行い、外部メディアとは外部メディアＩ／Ｆ（図示せず）を介して各種データの授受を行う。
【００２５】
次に、画像データ処理装置５２の詳細な構成について説明する。画像データ処理装置５２は大別すると、図１に示されるように、処理ブロックＡ７６と処理ブロックＢ７７とを有する。図２は、処理ブロックＡ７６の構成を示す図である。図３は、処理ブロックＢ７７の構成を示す図である。処理ブロックＡ７６は、スキャナγ処理部１００と、像域分離処理部１０１とを有する。処理ブロックＢ７７は、フィルタ処理部１２０と、色変換部１２１と、変倍処理部１２２と、階調処理部１２３と、像域分離処理部１２４とを有する。スキャナγ処理部１００には、読取り装置５１から出力された画像データが入力される。スキャナγ処理部１００は、入力された画像データの明るさを補正する。本実施の形態においては、スキャナγ処理部１００は、反射率リニアな特性で読取り装置５１から出力された画像データを、明度リニアな特性に補正する。そしてスキャナγ処理部１００は、補正した画像データをＣＰＵ５３に出力する。
【００２６】
像域分離処理部１０１には、読取り装置５１から出力された画像データが入力される。像域分離処理部１０１は、入力された画像データに対して、像域分離処理を行う。具体的には、像域分離処理部１０１は、入力された画像データによって表される原稿画像の線画領域を認識し、１スキャン分の中の線画領域の割合から、スキャンされた原稿画像が、“文字画像”なのか又はそうではない画像（“写真画像”）なのかを判定する。そして、像域分離処理部１０１は、この判定結果をＣＰＵ５３に出力する。尚、線画領域の認識方法は、例えば、特許文献１〜２に記載されているため、その詳細な説明は省略する。本実施の形態においては、このような線画領域の割合に基づいて判定される画質モードを画像の特徴として取り扱う。
【００２７】
フィルタ処理部１２０には、スキャナγ処理部１００から出力された画像データがＣＰＵ５３を介して入力される。フィルタ処理部１２０は、当該画像データの持つ空間周波数を変換する。基本的には、フィルタ処理部１２０は、操作表示装置５７を介して指定された画質モードに従って、画像データに対してフィルタ処理を行う。例えば、“文字モード”が指定された場合は、フィルタ処理部１２０は、文字をハッキリとさせるため鮮鋭化処理を行い、“写真モード”が指定された場合は、絵柄を滑らかに再現するため平滑化処理を行う。そして、フィルタ処理部１２０は、フィルタ処理後の画像データを色変換部１２１に出力する。
【００２８】
色変換部１２１は、フィルタ処理部１２０から出力された画像データに対して、出力先の色空間特性に合わせて色変換を行う。例えば、色変換部１２１は、画像をコピーする時には出力先である書込み装置５６の仕様に合わせて、画像データをＲＧＢ形式からＣＭＹＫ形式に変換することにより、色変換を行う。また、色変換部１２１は、画像をスキャンして外部装置に送信する時には標準色空間として、画像データをRGB形式からsRGB形式に変換することにより、色変換を行う。そして、色変換部１２１は、色変換を行った画像データを変倍処理部１２２に出力する。変倍処理部１２２は、色変換部１２１から出力された画像データに対して、入力された画像データ及び出力する画像データの関係や、操作表示装置５７を介して指定された変倍率に従って、変倍処理（解像度変換）を行う。尚、例えば、読取り装置５１の走査密度を600dpiとし、書込み装置５６の走査密度を600dpiとすると、画像を等倍でコピーする場合は、変倍処理部１２２は機能せず、変倍処理（解像度変換）を行わない。また、画像をスキャンして200dpiの画像を外部装置に送信する場合は、変倍処理部１２２は、600dpiから200dpiに変換する解像度変換を行う。変倍処理部１２２は、変倍処理を適宜行った画像データを階調処理部１２３に出力する。
【００２９】
階調処理部１２３は、変倍処理部１２２から出力された画像データに対して、入力された画像データ及び出力する画像データの関係や、操作表示装置５７を介して指定された画質モードに従って、階調処理を行う。尚、例えば、読取り装置５１の画素深度を8bit/pixelとし、書込み装置５６の画素深度を2bit/pixelとすると、画像をコピーする場合は、階調処理部１２３は、画像深度を8bit/pixelから2bit/pixelに変換する階調変換を行う。このとき行う階調変換の方法は、指定された画質モードに従って切り替える。例えば“文字モード”が指定された場合、階調処理部１２３は、文字をハッキリさせるため誤差拡散法による擬似中間調処理を行い、“写真モード”が指定された場合、写真を滑らかに再現させるためディザ法による擬似中間調処理を行う。そして、階調処理部１２３は、階調変換を行った画像データをＣＰＵ５３に出力する。
【００３０】
像域分離処理部１２４には、ＣＰＵ５３から出力された画像データが入力される。像域分離処理部１２４は、入力された画像データによって表される画像が“文字画像”なのか又は“写真画像”かを上述の像域分離処理部１０１と同様にして判定して、判定結果をＣＰＵ５３に出力する。
【００３１】
次に、ＣＰＵ５３がＲＯＭ６１やメモリ５４に記憶された各種プログラムを実行することにより実現させる本実施に特有の機能について説明する。ＣＰＵ５３は、処理ブロックＡ７６のスキャナγ処理部１００から出力された画像データをメモリ５４に記憶させる。また、画質モードを自動で判定することが操作表示装置５７においてユーザから指示された場合、ＣＰＵ５３は、像域分離処理部１０１から出力された判定結果に応じて、当該画像データの画質モードを決定する。具体的にはＣＰＵ５３は、像域分離処理部１０１が“文字画像”であると判定した場合、画質モードを“文字モード”にすると判定し、像域分離処理部１０１が“写真画像”であると判定した場合、画質モードを“写真モード”にすると判定する。更に、ＣＰＵ５３は、読取り装置５１から出力された原稿サイズと、操作表示装置５７から出力された制御コマンドにより指定された出力サイズとを比較する。前者が後者以下である場合、ＣＰＵ５３は、像域分離処理部１０１の判定結果に応じて判定される画質モードに応じた画像処理を画像データに対して処理ブロックＢ７７に行わせるべく各種設定を行い、当該画像データを処理ブロックＢ７７のフィルタ処理部１２０に出力する。そして、処理ブロックＢ７７の各部で処理が行われて階調処理部１２３から画像データがＣＰＵ５３に入力されると、ＣＰＵ５３は、当該画像データをメモリ５４に記憶させる。そして、ＣＰＵ５３は、メモリ５４に記憶させた画像データを、書込みＩ／Ｆ装置５５を介して書込み装置５６に出力する。
【００３２】
一方、原稿サイズが出力サイズよりも大きい場合、ＣＰＵ５３は、処理ブロックＡ７６から出力されメモリ５４に記憶させた画像データのうち、出力サイズに応じた画像データを処理ブロックＢ７７の像域分離処理部１２４に出力する。そして、ＣＰＵ５３に像域分離処理部１２４から出力された判定結果が入力されると、ＣＰＵ５３は、像域分離処理部１２４の判定結果に応じて判定される画質モードに応じた画像処理を画像データに対して処理ブロックＢ７７に行わせるべく各種設定を行い、出力サイズに応じた画像データを処理ブロックＢ７７のフィルタ処理部１２０に出力する。そして、処理ブロックＢ７７の各部で処理が行われて階調処理部１２３から画像データがＣＰＵ５３に入力されると、ＣＰＵ５３は、当該画像データをメモリ５４に記憶させる。そして、ＣＰＵ５３は、メモリ５４に記憶させた画像データを、書込みＩ／Ｆ装置５５を介して書込み装置５６に出力する。
【００３３】
（２）動作
次に、本実施の形態にかかる画像処理装置５０の行う処理の手順について図４を用いて説明する。ここでは、原稿をスキャンしてコピーする場合の画像処理の手順について説明する。ユーザーは、原稿を読取り装置５１にセットし、コピーの設定に関する操作入力と、コピーの開始を指示する操作入力とを操作表示装置５７において行う。ここでは、コピーの設定に関し、出力サイズの指定がなされ、画質モードを自動で判定する指示がなされるものとする。操作表示装置５７はユーザーからの操作入力に応じて、コピーの設定やコピーの開始を指示する制御コマンドを示すを生成してこれを、汎用規格Ｉ／Ｆ７８を介してＣＰＵ５３に出力する。ＣＰＵ５３は、ＲＯＭ６１から各種プログラムを読み出して実行すると共に、制御コマンドに従って、コピーに必要な設定や処理を順次行う。一方、読取り装置５１は、原稿画像をスキャンして、原稿画像を表すＲＧＢ形式の画像データを生成してこれを画像データ処理装置５２に出力する。また、読取り装置５１は、原稿サイズをＣＰＵ５３に出力する。出力された画像データは画像データ処理装置５２の処理ブロックＡ７６のスキャナγ処理部１００及び像域分離処理部１０１に入力される。スキャナγ処理部１００は、上述したように、入力された画像データを補正して、補正後の画像データをＣＰＵ５３に出力する。また、像域分離処理部１０１は、上述したように、読取り装置５１から入力された画像データによって表される原稿画像の画質モードを判定して、判定結果をＣＰＵ５３に出力する。
【００３４】
一方、ＣＰＵ５３は、読取り装置５１から原稿サイズを取得し（ステップＳ１）、像域分離処理部１０１から判定結果を取得し（ステップＳ２）、スキャナγ処理部１００から画像データを取得する（ステップＳ３）。次いで、ＣＰＵ５３は、取得した画像データをメモリ５４に記憶させる（ステップＳ４）。また、ＣＰＵ５３は、原稿サイズと、操作表示装置５７から出力された制御コマンドによって指定された出力サイズとを比較する（ステップＳ５）。そして、前者が後者以下である場合（ステップＳ５：ＮＯ）、ＣＰＵ５３は、像域分離処理部１０１から取得した判定結果に応じた画像データを処理ブロックＢ７７に出力させるべく各種設定を行い、ステップＳ４でメモリ５４に記憶させた画像データを処理ブロックＢ７７のフィルタ処理部１２０に出力する（ステップＳ１２）。そして、処理ブロックＢ７７では、上述したように、画像データに対して、フィルタ処理部１２０がフィルタ処理を行い、その後の画像データに対して色変換部１２１が色変換を行う。ここでは、変倍率の指定はないものとし、色変換が行われた後の画像データに対して、階調処理部１２３が階調変換を行い、その後の画像データをＣＰＵ５３に出力する。
【００３５】
階調処理部１２３から出力された画像データがＣＰＵ５３に入力されると（ステップＳ９）、ＣＰＵ５３は、当該画像データをメモリ５４に記憶させる（ステップＳ１０）。そして、ＣＰＵ５３は、メモリ５４に記憶させた画像データを、書込みＩ／Ｆ装置５５を介して書込み装置５６に出力する（ステップＳ１１）。この結果、画像データによって表される原稿画像が転写紙に出力される。
【００３６】
一方、原稿サイズが出力サイズよりも大きい場合（ステップＳ５：ＹＥＳ）、ＣＰＵ５３は、処理ブロックＡ７６から出力されメモリ５４に記憶させた画像データのうち、出力サイズに応じた画像データを処理ブロックＢ７７の像域分離処理部１２４に出力する（ステップＳ６）。像域分離処理部１２４は、上述したように、ＣＰＵ５３から入力された画像データによって表される画像の画質モードを判定して、判定結果をＣＰＵ５３に出力する。ＣＰＵ５３は、像域分離処理部１２４から出力された判定結果を取得すると（ステップＳ７）、判定された画質モードに応じた画像データを処理ブロックＢ７７に出力させるべく各種設定を行い、当該画像データを処理ブロックＢ７７のフィルタ処理部１２０に出力する（ステップＳ８）。そして、ＣＰＵ５３は、以降、上述で説明したステップＳ９〜Ｓ１１の処理を行う。
【００３７】
例えば、原稿サイズがＡ３の原稿をスキャンした原稿画像を、Ａ４の出力サイズで転写紙に出力する場合は、原稿画像の一部のみが出力されることになる。この場合、原稿画像全体の画質モードと、出力サイズに応じた画像の画質モードとが異なる場合がある。例えば図５に示されるように、原稿画像Ｇ２は、下半分に写真画像を含み、出力サイズに応じた画像Ｇ２は、原稿画像Ｇ２の上半分に相当し、写真画像を含まないものとする。この場合、原稿画像Ｇ１全体の画質モードは、“写真モード”と判定され、出力サイズに応じた画像Ｇ２の画質モードは、“文字モード”と判定される。本実施の形態においては、このように原稿サイズが出力サイズより大きい場合、メモリ５４に記憶され出力サイズに応じた画像データの画質モードの判定を行い、当該判定結果を用いて、出力サイズに応じた画像データに対して画像処理を行う。このため、当該画像データに対して、より適切な画像処理を行うことができる。また、原稿サイズが出力サイズ以下である場合、従来と同様にして、スキャンした原稿画像全体の画質モードの判定結果を用いて、画像データに対して画像処理を行う。このため、この場合の処理速度を損ねることなく、原稿サイズが出力サイズより大きい場合の利便性を向上させることができる。
【００３８】
[第２の実施の形態]
次に、画像処理装置の第２の実施の形態について説明する。なお、上述の第１の実施の形態と共通する部分については、同一の符号を使用して説明したり、説明を省略したりする。
【００３９】
（１）構成
本実施の形態においては、画像処理装置は、画像を転写紙に出力する際のカラーモードを自動的に判定する。図６は、本実施の形態にかかる画像処理装置の備える画像データ処理装置５２の有する処理ブロックＡ７６´の構成を示す図である。図７は、処理ブロックＡ７７´の構成を示す図である。本実施の形態にかかる画像データ処理装置の構成は、上述の第１の実施の形態にかかる画像データ処理装置５２の構成とは以下の点で異なる。画像データ処理装置５２の有する処理ブロックＡ７６´は、像域分離処理部１０１の代わりにカラー判定処理部１０２を有する。同様に、処理ブロックＢ７７´は、像域分離処理部１２４の代わりにカラー判定処理部１２６を有する。
【００４０】
カラー判定処理部１０２には、読取り装置５１から出力された画像データが入力される。カラー判定処理部１０２は、入力された画像データに対して、カラー判定処理を行う。具体的には、カラー判定処理部１０２は、入力された画像データによって表される原稿画像の色を認識し、１スキャン分の原稿画像に表れる色が、白黒か白黒以外の色を含むか否か、即ち、原稿画像が“カラー画像”か又は“モノクロ画像”かを判定する。そして、カラー判定処理部１０２は、この判定結果をＣＰＵ５３に出力する。尚、色の認識方法は、例えば、特許文献１，３に記載されているため、その詳細な説明は省略する。本実施の形態においては、このような画像に現われる色を画像の特徴として取り扱う。
【００４１】
カラー判定処理部１２６には、ＣＰＵ５３から出力された画像データが入力される。カラー判定処理部１２６は、入力された画像データによって表される画像が“カラー画像”か又は“モノクロ画像”かを上述のカラー判定処理部１０２と同様にして判定して、判定結果をＣＰＵ５３に出力する。
【００４２】
次に、ＣＰＵ５３がＲＯＭ６１やメモリ５４に記憶された各種プログラムを実行することにより実現させる本実施に特有の機能について説明する。上述の第１の実施の形態において実現される機能と異なる点は以下の通りである。ＣＰＵ５３は、カラー判定処理部１０２から出力された判定結果に応じて、処理ブロックＡ７６´のスキャナγ処理部１００から出力された画像データのカラーモードを決定する。具体的にはＣＰＵ５３は、カラー判定処理部１０２が“カラー画像”であると判定した場合、カラーモードを“カラー”にすると判定し、カラー判定処理部１０２が“モノクロ画像”であると判定した場合、カラーモードを“モノクロ”にすると判定する。更に、ＣＰＵ５３は、読取り装置５１から出力された原稿サイズと、操作表示装置５７から出力された制御コマンドにより指定された出力サイズとを比較する。前者が後者以下である場合、ＣＰＵ５３は、カラー判定処理部１０２の判定結果に応じて判定されるカラーモードに応じた画像処理を画像データに対して処理ブロックＢ７７´に行わせるべく各種設定を行う。ここでは、カラーモードを“カラー”にした場合、色変換部１２１が画像データをＲＧＢ形式からＣＭＹＫ形式に変換するよう、ＣＰＵ５３は設定を行う。また、カラーモードを“モノクロ”にした場合、色変換部１２１が画像データをＲＧＢ形式からＫ形式に変換するよう、ＣＰＵ５３は設定を行う。尚、この場合、書込み装置５６ではＫ版のみを用いて画像が転写紙に出力される。このため、黒色が明瞭に再現され、画質が向上する。ＣＰＵ５３は、このような各種設定を行った後、当該画像データを処理ブロックＢ７７´のフィルタ処理部１２０に出力する。
【００４３】
一方、原稿サイズが出力サイズよりも大きい場合、ＣＰＵ５３は、処理ブロックＡ７６´から出力されメモリ５４に記憶させた画像データのうち、出力サイズに応じた画像データを処理ブロックＢ７７´のカラー判定処理部１２６に出力する。そして、ＣＰＵ５３にカラー判定処理部１２６から出力された判定結果が入力されると、ＣＰＵ５３は、カラー判定処理部１２６の判定結果に応じて判定されるカラーモードに応じた画像処理を画像データに対して処理ブロックＢ７７´に行わせるべく上述と同様の各種設定を行い、出力サイズに応じた画像データを処理ブロックＢ７７´のフィルタ処理部１２０に出力する。
【００４４】
（２）動作
次に、本実施の形態にかかる画像処理装置の行う処理の手順について図８を用いて説明する。ここでも、原稿画像をスキャンしてコピーする場合の画像処理の手順について説明する。ユーザーは、原稿を読取り装置５１にセットし、コピーの設定に関する操作入力と、コピーの開始を指示する操作入力とを操作表示装置５７において行う。ここでは、コピーの設定に関し、出力サイズの指定がなされ、カラーモードを自動で判定する指示がなされるものとする。操作表示装置５７は上述の第１の実施の形態と同様の処理を行い、ＣＰＵ５３も上述の第１の実施の形態と同様にして、コピーに必要な設定や処理を順次行う。読取り装置５１は、原稿画像をスキャンして、原稿画像を表すＲＧＢ形式の画像データを生成してこれを画像データ処理装置５２に出力する。また、読取り装置５１は、原稿サイズをＣＰＵ５３に出力する。出力された画像データは画像データ処理装置５２の処理ブロックＡ７６´のスキャナγ処理部１００及びカラー判定処理部１０２に入力される。スキャナγ処理部１００が行う処理は上述の第１の実施の形態と同様である。カラー判定処理部１０２は、上述したように、読取り装置５１から入力された画像データによって表される原稿画像のカラーモードを判定して、判定結果をＣＰＵ５３に出力する。
【００４５】
一方、ＣＰＵ５３は、読取り装置５１から原稿サイズを取得し（ステップＳ１）、カラー判定処理部１０２から判定結果を取得し（ステップＳ２´）、スキャナγ処理部１００から画像データを取得する（ステップＳ３）。以降ステップＳ４〜Ｓ５の処理は上述と同様である。ステップＳ４の比較の結果、原稿サイズが出力サイズ以下である場合は（ステップＳ５：ＮＯ）、ＣＰＵ５３は、カラー判定処理部１０２から取得した判定結果に応じた画像データを処理ブロックＢ７７´に出力させるべく各種設定を行い、ステップＳ４でメモリ５４に記憶させた画像データを処理ブロックＢ７７´のフィルタ処理部１２０に出力する（ステップＳ１２´）。以降、ＣＰＵ５３は、上述の第１の実施の形態と同様にして、ステップＳ９〜Ｓ１１の処理を行う。
【００４６】
一方、原稿サイズが出力サイズよりも大きい場合（ステップＳ５：ＹＥＳ）、ＣＰＵ５３は、処理ブロックＡ７６´から出力されメモリ５４に記憶させた画像データのうち、出力サイズに応じた画像データを処理ブロックＢ７７´のカラー判定処理部１２６に出力する（ステップＳ６´）。カラー判定処理部１２６は、上述したように、ＣＰＵ５３から入力された画像データによって表される画像のカラーモードを判定して、判定結果をＣＰＵ５３に出力する。ＣＰＵ５３は、カラー判定処理部１２６から出力された判定結果を取得すると（ステップＳ７´）、判定されたカラーモードに応じた画像データを処理ブロックＢ７７´に出力させるべく各種設定を行い、当該画像データを処理ブロックＢ７７´のフィルタ処理部１２０に出力する（ステップＳ８´）。以降、ＣＰＵ５３は、上述の第１の実施の形態と同様にして、ステップＳ９〜Ｓ１１の処理を行う。
【００４７】
例えば、原稿サイズがＡ３の原稿をスキャンした原稿画像を、Ａ４の出力サイズで転写紙に出力する場合は、原稿画像の一部のみが出力されることになる。この場合、原稿画像全体のカラーモードと、出力サイズに応じた画像のカラーモードとが異なる場合がある。例えば図５に示されるように、原稿画像Ｇ２は、下半分にカラー画像を含み、出力サイズに応じた画像Ｇ２は、原稿画像Ｇ２の上半分に相当し、カラー画像を含まないものとする。この場合、原稿画像Ｇ１全体のカラーモードは、“カラー”と判定され、出力サイズに応じた画像Ｇ２のカラーモードは、“モノクロ”と判定される。本実施の形態においては、このように原稿サイズが出力サイズより大きい場合、メモリ５４に記憶され出力サイズに応じた画像データのカラーモードの判定を行い、当該判定結果を用いて、出力サイズに応じた画像データに対して画像処理を行う。このため、当該画像データに対して、より適切な画像処理を行うことができる。また、原稿サイズが出力サイズ以下である場合、従来と同様にして、スキャンした原稿画像全体のカラーモードの判定結果を用いて、画像データに対して画像処理を行う。このため、この場合の処理速度を損ねることなく、原稿サイズが出力サイズより大きい場合の利便性を向上させることができる。
【００４８】
[第３の実施の形態]
次に、画像処理装置の第３の実施の形態について説明する。なお、上述の第１の実施の形態又は第２の実施の形態と共通する部分については、同一の符号を使用して説明したり、説明を省略したりする。
【００４９】
（１）構成
本実施の形態においては、出力サイズの指定及びカラーモードを自動で判定する指示に加え、操作表示装置５７を介して変倍率を指定する操作入力がなされた場合の構成について説明する。画像データ処理装置５２の構成及び画像処理装置のその他のハードウェア構成は、上述の第２の実施の形態と同様であるとする。本実施の形態においては、ＣＰＵ５３がＲＯＭ６１やメモリ５４に記憶された各種プログラムを実行することにより実現させる機能が、上述の第１の実施の形態又は第２の実施の形態において実現される機能と異なる。
【００５０】
ＣＰＵ５３は、読取り装置５１から出力された原稿サイズと、操作表示装置５７から出力された制御コマンドにより指定された出力サイズと、操作表示装置５７から出力された制御コマンドにより指定された変倍率を加味して比較する。例えば、原稿画像を指定された変倍率に拡大して、指定された出力サイズ内に収める場合、原稿画像の一部のみを使用して拡大することになる。このため、ここでは、原稿画像のサイズである原稿サイズと、原稿画像のうち出力対象となる画像のサイズとして変倍率を加味した出力サイズとを比較する。そして、原稿サイズが、変倍率を加味した出力サイズ以下である場合、ＣＰＵ５３は、カラー判定処理部１０２の判定結果に応じて判定されるカラーモード及び指定された変倍率に応じた画像処理を画像データに対して処理ブロックＢ７７´に行わせるべく各種設定を行う。ここでは、指定された変倍率に従って画像データに対して変倍処理部１２２が変倍処理を行うよう、ＣＰＵ５３は設定を行う。また、上述の第２の実施の形態と同様にして、カラーモードに応じた色変換を画像データに対して色変換部１２１が行うよう、ＣＰＵ５３は設定を行う。ＣＰＵ５３は、このような各種設定を行った後、当該画像データを処理ブロックＢ７７´のフィルタ処理部１２０に出力する。
【００５１】
一方、原稿サイズが出力サイズよりも大きい場合、ＣＰＵ５３は、処理ブロックＡ７６´から出力されメモリ５４に記憶させた画像データのうち、変倍率を加味した出力サイズに応じた画像データを処理ブロックＢ７７´のカラー判定処理部１２６に出力する。そして、ＣＰＵ５３にカラー判定処理部１２６から出力された判定結果が入力されると、ＣＰＵ５３は、カラー判定処理部１２６の判定結果に応じて判定されるカラーモード及び指定された変倍率に応じた画像処理を画像データに対して処理ブロックＢ７７´に行わせるべく上述と同様の各種設定を行う。そして、ＣＰＵ５３は、変倍率を加味した出力サイズに応じた画像データを処理ブロックＢ７７´のフィルタ処理部１２０に出力する。
【００５２】
（２）動作
次に、本実施の形態にかかる画像処理装置の行う画像処理の手順について図９を用いて説明する。ユーザーは、原稿を読取り装置５１にセットし、コピーの設定に関する操作入力と、コピーの開始を指示する操作入力とを操作表示装置５７において行う。ここでは、コピーの設定に関し、出力サイズと変倍率との指定がなされ、カラーモードを自動で判定する指示がなされるものとする。操作表示装置５７は上述の第１の実施の形態と同様の処理を行い、ＣＰＵ５３も上述の第１の実施の形態と同様にして、コピーに必要な設定や処理を順次行う。尚、ＣＰＵ５３は、ここでは、出力サイズと共に、指定された変倍率を制御コマンドにより操作表示装置５７から取得する。読取り装置５１は、原稿画像をスキャンして、原稿画像を表すＲＧＢ形式の画像データを生成してこれを画像データ処理装置５２に出力する。また、読取り装置５１は、原稿サイズをＣＰＵ５３に出力する。出力された画像データは画像データ処理装置５２の処理ブロックＡ７６´のスキャナγ処理部１００及びカラー判定処理部１０２に入力される。スキャナγ処理部１００が行う処理は上述の第１の実施の形態と同様である。カラー判定処理部１０２は、上述したように、読取り装置５１から入力された画像データによって表される原稿画像のカラーモードを判定して、判定結果をＣＰＵ５３に出力する。
【００５３】
一方、ＣＰＵ５３は、読取り装置５１から原稿サイズを取得し（ステップＳ１）、カラー判定処理部１０２から判定結果を取得し（ステップＳ２´）、スキャナγ処理部１００から画像データを取得する（ステップＳ３）。ステップＳ４の処理は上述と同様である。ステップＳ５´では、ＣＰＵ５３は、原稿サイズと、操作表示装置５７から出力された制御コマンドによって指定された出力サイズとを、当該制御コマンドによって指定された変倍率を加味して比較する。ステップＳ５´の比較の結果、原稿サイズが、変倍率を加味した出力サイズ以下である場合は（ステップＳ５´：ＮＯ）、ＣＰＵ５３は、上述したように、判定されたカラーモード及び指定された変倍率に応じた画像データを処理ブロックＢ７７´に出力させるべく各種設定を行う。そして、ＣＰＵ５３は、ステップＳ４でメモリ５４に記憶させた画像データを処理ブロックＢ７７´のフィルタ処理部１２０に出力する（ステップＳ１２"）。以降、ＣＰＵ５３は、上述の第１の実施の形態又は第２の実施の形態と同様にして、ステップＳ９〜Ｓ１１の処理を行う。
【００５４】
一方、原稿サイズが、変倍率を加味した出力サイズよりも大きい場合（ステップＳ５´：ＹＥＳ）、ＣＰＵ５３は、処理ブロックＡ７６´から出力されメモリ５４に記憶させた画像データのうち、変倍率を加味した出力サイズに応じた画像データを処理ブロックＢ７７´のカラー判定処理部１２６に出力する（ステップＳ６"）。カラー判定処理部１２６は、上述したように、ＣＰＵ５３から入力された画像データによって表される画像のカラーモードを判定して、判定結果をＣＰＵ５３に出力する。ＣＰＵ５３は、カラー判定処理部１２６から出力された判定結果を取得すると（ステップＳ７"）、判定されたカラーモード及び指定された変倍率に応じた画像データを処理ブロックＢ７７´に出力させるべく各種設定を行う。そして、ＣＰＵ５３は、原稿画像のうち出力対象となる画像を表す画像データを処理ブロックＢ７７´のフィルタ処理部１２０に出力する（ステップＳ８"）。以降、ＣＰＵ５３は、上述の第１の実施の形態又は第２の実施の形態と同様にして、ステップＳ９〜Ｓ１１の処理を行う。
【００５５】
例えば、原稿サイズがＡ４の原稿をスキャンした原稿画像を拡大して、Ａ３の出力サイズで転写紙に出力する場合がある。この場合、図１０に示されるように、原稿画像Ｇ１０に対して、出力対象の画像部分Ｇ２０＿１は、原稿画像Ｇ１０より小さくなる。この場合、原稿画像Ｇ１全体のカラーモードは、“カラー”と判定され、画像部分Ｇ２０＿１のカラーモードは、“モノクロ”と判定される。本実施の形態においては、このように原稿サイズが、変倍率を加味した出力サイズより大きい場合、メモリ５４に記憶され出力サイズに応じた画像データのカラーモードの判定を行い、当該判定結果を用いて、原稿画像のうち出力サイズ及び変倍率に応じて出力対象となる画像を表す画像データに対して画像処理を行う。そして、画像処理後の画像データを用いられて転写紙には、図に示されるような画像Ｇ２０＿２が出力される。このように、画像を変倍する場合であっても、画像データに対して、より適切な画像処理を行うことができる。
【００５６】
[第４の実施の形態]
次に、画像処理装置の第４の実施の形態について説明する。なお、上述の第１の実施の形態乃至第３の実施の形態と共通する部分については、同一の符号を使用して説明したり、説明を省略したりする。
【００５７】
（１）構成
本実施の形態においては、出力サイズの指定及びカラーモードを自動で判定する指示に加え、操作表示装置５７を介して綴じ代の付加を指示する操作入力がなされた場合の構成について説明する。本実施の形態にかかる画像データ処理装置の構成は、上述の第１の実施の形態にかかる画像データ処理装置５２の構成とは以下の点で異なる。図１１は、本実施の形態にかかる画像データ処理装置の有する処理ブロックＢ７７"の構成を示す図である。処理ブロックＢ７７"は、領域追加部１２７を更に有する。領域追加部１２７は、階調処理部１２３が階調変換を行った画像データについて、画像の一端に綴じ代を付加し、綴じ代を付加した画像を表す画像データをＣＰＵ５３に出力する。
【００５８】
また、本実施の形態においては、ＣＰＵ５３がＲＯＭ６１やメモリ５４に記憶された各種プログラムを実行することにより実現させる機能が、上述の第１の実施の形態又は第２の実施の形態において実現される機能と異なる。ＣＰＵ５３は、読取り装置５１から出力された原稿サイズと、操作表示装置５７から出力された制御コマンドにより指定された出力サイズと、操作表示装置５７から出力された制御コマンドにより指示された綴じ代の付加を加味して比較する。例えば、原稿画像に綴じ代を付加する場合、原稿画像の他端を削除して一端に綴じ代を付加する。この場合、一端が削除された原稿画像が出力対象となる。このため、ここでは、原稿画像のサイズである原稿サイズと、原稿画像のうち出力対象となる画像のサイズとして綴じ代の付加を加味した出力サイズとを比較する。そして、原稿サイズが、綴じ代の付加を加味した出力サイズ以下である場合、ＣＰＵ５３は、カラー判定処理部１０２の判定結果に応じて判定されるカラーモードに対して処理ブロックＢ７７"に行わせるべく各種設定を行う。ここでは、領域追加部１２７が綴じ代を領域として付加するようＣＰＵ５３は設定を行う。また、上述の第２の実施の形態と同様にして、カラーモードに応じた色変換を画像データに対して色変換部１２１が行うよう、ＣＰＵ５３は設定を行う。ＣＰＵ５３は、このような各種設定を行った後、処理ブロックＡ７６´から出力されメモリ５４に記憶させた画像データのうち、原稿画像の一端を削除した画像を表す画像データを処理ブロックＢ７７"のカラー判定処理部１２６に出力する。
【００５９】
一方、原稿サイズが、綴じ代の付加を加味した出力サイズよりも大きい場合、ＣＰＵ５３は、処理ブロックＡ７６´から出力されメモリ５４に記憶させた画像データのうち、原稿画像の一端を削除した画像を表す画像データを処理ブロックＢ７７"のカラー判定処理部１２６に出力する。そして、ＣＰＵ５３にカラー判定処理部１２６から出力された判定結果が入力されると、ＣＰＵ５３は、カラー判定処理部１２６の判定結果に応じて判定されるカラーモードに応じた画像処理を画像データに対して処理ブロックＢ７７"に行わせるべく上述と同様の各種設定を行う。そして、ＣＰＵ５３は、原稿画像の一端を削除した画像を表す画像データを処理ブロックＢ７７"のフィルタ処理部１２０に出力する。
【００６０】
（２）動作
次に、本実施の形態にかかる画像処理装置の行う処理の手順について図１２を用いて説明する。ユーザーは、原稿を読取り装置５１にセットし、コピーの設定に関する操作入力と、コピーの開始を指示する操作入力とを操作表示装置５７において行う。ここでは、コピーの設定に関し、出力サイズの指定と、綴じ代の付加の指示とがなされ、カラーモードを自動で判定する指示がなされるものとする。操作表示装置５７は上述の第１の実施の形態と同様の処理を行い、ＣＰＵ５３も上述の第１の実施の形態と同様にして、コピーに必要な設定や処理を順次行う。尚、ＣＰＵ５３は、ここでは、出力サイズと共に、指定された変倍率を制御コマンドにより操作表示装置５７から取得する。読取り装置５１は、原稿画像をスキャンして、原稿画像を表すＲＧＢ形式の画像データを生成してこれを画像データ処理装置５２に出力する。また、読取り装置５１は、原稿サイズをＣＰＵ５３に出力する。出力された画像データは画像データ処理装置５２の処理ブロックＡ７６´のスキャナγ処理部１００及びカラー判定処理部１０２に入力される。スキャナγ処理部１００が行う処理は上述の第１の実施の形態と同様である。カラー判定処理部１０２は、上述したように、読取り装置５１から入力された画像データによって表される原稿画像のカラーモードを判定して、判定結果をＣＰＵ５３に出力する。
【００６１】
一方、ＣＰＵ５３は、読取り装置５１から原稿サイズを取得し（ステップＳ１）、カラー判定処理部１０２から判定結果を取得し（ステップＳ２´）、スキャナγ処理部１００から画像データを取得する（ステップＳ３）。ステップＳ４の処理は上述と同様である。ステップＳ５"では、ＣＰＵ５３は、原稿サイズと、操作表示装置５７から出力された制御コマンドによって指定された出力サイズとを、当該制御コマンドによって指定された綴じ代の付加を加味して比較する。ステップＳ５"の比較の結果、原稿サイズが、綴じ代の付加を加味した出力サイズ以下である場合は（ステップＳ５"：ＮＯ）、ＣＰＵ５３は、上述したように、判定されたカラーモード及び綴じ代の付加に応じた画像データを処理ブロックＢ７７"に出力させるべく各種設定を行う。そして、ＣＰＵ５３は、ステップＳ４でメモリ５４に記憶させた画像データのうち、原稿画像の一端を削除した画像を表す画像データを処理ブロックＢ７７"のカラー判定処理部１２６に出力する（ステップＳ１２'''）。以降、ＣＰＵ５３は、上述の第１の実施の形態又は第２の実施の形態と同様にして、ステップＳ９〜Ｓ１１の処理を行う。
【００６２】
一方、原稿サイズが、綴じ代の付加を加味した出力サイズよりも大きい場合（ステップＳ５"：ＹＥＳ）、ＣＰＵ５３は、処理ブロックＡ７６´から出力されメモリ５４に記憶させた画像データのうち、原稿画像の一端を削除した画像を表す画像データを処理ブロックＢ７７"のカラー判定処理部１２６に出力する（ステップＳ６'''）。カラー判定処理部１２６は、上述したように、ＣＰＵ５３から入力された画像データによって表される画像のカラーモードを判定して、判定結果をＣＰＵ５３に出力する。ＣＰＵ５３は、カラー判定処理部１２６から出力された判定結果を取得すると（ステップＳ７'''）、判定されたカラーモード及び綴じ代の付加に応じた画像データを処理ブロックＢ７７"に出力させるべく各種設定を行う。そして、ＣＰＵ５３は、原稿画像の一端を削除した画像を表す画像データを処理ブロックＢ７７"のフィルタ処理部１２０に出力する（ステップＳ８'''）。以降、ＣＰＵ５３は、上述の第１の実施の形態又は第２の実施の形態と同様にして、ステップＳ９〜Ｓ１１の処理を行う。
【００６３】
例えば、図１３に示されるように、原稿画像Ｇ３０に対して、綴じ代を左端に付加するために右端が削除された出力対象の画像部分Ｇ４０＿１は、原稿画像Ｇ３０より小さくなる。このとき、原稿画像Ｇ３０の右端に白黒以外の色が使用される場合、原稿画像Ｇ３０全体のカラーモードは、“カラー”と判定され、画像部分Ｇ４０＿１のカラーモードは、“モノクロ”と判定される。本実施の形態においては、このように原稿サイズが、変倍率を加味した出力サイズより大きい場合、メモリ５４に記憶され出力サイズに応じた画像データのカラーモードの判定を行い、当該判定結果を用いて、原稿画像のうち出力サイズ及び綴じ代の付加に応じて出力対象となる画像を表す画像データに対して画像処理を行う。そして、画像処理後の画像データを用いられて転写紙には、図に示されるような画像Ｇ４０＿２が出力される。このように、綴じ代を追加する場合であっても、このため、当該画像データに対して、より適切な画像処理を行うことができる。
【００６４】
[第５の実施の形態]
次に、画像処理装置の第５の実施の形態について説明する。なお、上述の第１の実施の形態乃至第４の実施の形態と共通する部分については、同一の符号を使用して説明したり、説明を省略したりする。
【００６５】
（１）構成
本実施の形態においては、出力サイズの指定及びカラーモードを自動で判定する指示に加え、操作表示装置５７を介して、複数枚の原稿によって表される画像を１つの画像に集約することを指示すると共にその集約枚数を指定する操作入力がなされた場合の構成について説明する。画像データ処理装置５２の構成及び画像処理装置のその他のハードウェア構成は、上述の第２の実施の形態と同様であるとする。本実施の形態においては、ＣＰＵ５３がＲＯＭ６１やメモリ５４に記憶された各種プログラムを実行することにより実現させる機能が、上述の第１の実施の形態又は第２の実施の形態において実現される機能と異なる。
【００６６】
ＣＰＵ５３は、読取り装置５１から出力された原稿サイズと、操作表示装置５７から出力された制御コマンドにより指定された出力サイズと、操作表示装置５７から出力された制御コマンドにより指示された集約枚数を加味して比較する。例えば、２枚の原稿の原稿画像を集約する場合、出力対象の画像のサイズは、原稿サイズの２倍となる。このため、ここでは、原稿画像のサイズである原稿サイズと、原稿画像のうち出力対象となる画像のサイズとして集約枚数を加味した出力サイズとを比較する。そして、原稿サイズが、集約枚数を加味した出力サイズ以下である場合、ＣＰＵ５３は、カラー判定処理部１０２の判定結果に応じて判定されるカラーモードに対して処理ブロックＢ７７´に行わせるべく各種設定を行う。ここでは、上述の第２の実施の形態と同様にして、カラーモードに応じた色変換を画像データに対して色変換部１２１が行うよう、ＣＰＵ５３は設定を行う。ＣＰＵ５３は、このような各種設定を行った後、画像データを処理ブロックＢ７７´のフィルタ処理部１２０に出力する。
【００６７】
一方、原稿サイズが、集約枚数を加味した出力サイズよりも大きい場合、ＣＰＵ５３は、処理ブロックＡ７６´から出力されメモリ５４に記憶させた画像データのうち、集約枚数に応じた画像データを処理ブロックＢ７７´のカラー判定処理部１２６に出力する。そして、ＣＰＵ５３にカラー判定処理部１２６から出力された判定結果が入力されると、ＣＰＵ５３は、カラー判定処理部１２６の判定結果に応じて判定されるカラーモードに応じた画像処理を画像データに対して処理ブロックＢ７７´に行わせるべく上述と同様の各種設定を行う。そして、ＣＰＵ５３は、集約枚数に応じた画像データを処理ブロックＢ７７´のフィルタ処理部１２０に出力する。
【００６８】
（２）動作
次に、本実施の形態にかかる画像処理装置の行う処理の手順について図１４を用いて説明する。ユーザーは、原稿を読取り装置５１にセットし、コピーの設定に関する操作入力と、コピーの開始を指示する操作入力とを操作表示装置５７において行う。ここでは、コピーの設定に関し、出力サイズの指定と、集約が指示されると共にその集約枚数が指定され、カラーモードを自動で判定する指示がなされるものとする。操作表示装置５７は上述の第１の実施の形態と同様の処理を行い、ＣＰＵ５３も上述の第１の実施の形態と同様にして、コピーに必要な設定や処理を順次行う。尚、ＣＰＵ５３は、ここでは、出力サイズと共に、指定された集約枚数を制御コマンドにより操作表示装置５７から取得する。読取り装置５１は、ここでは、複数枚の原稿の原稿画像をスキャンして、各原稿画像を表すＲＧＢ形式の画像データを生成してこれを画像データ処理装置５２に順次出力する。また、読取り装置５１は、原稿サイズをＣＰＵ５３に出力する。出力された画像データは画像データ処理装置５２の処理ブロックＡ７６´のスキャナγ処理部１００及びカラー判定処理部１０２に入力される。スキャナγ処理部１００が行う処理は上述の第１の実施の形態と同様である。カラー判定処理部１０２は、上述したように、読取り装置５１から入力された画像データによって表される原稿画像のカラーモードを原稿１枚毎に判定して、判定結果をＣＰＵ５３に各々出力する。
【００６９】
一方、ＣＰＵ５３は、読取り装置５１から原稿サイズを取得し（ステップＳ１）、カラー判定処理部１０２から判定結果を取得し（ステップＳ２´）、スキャナγ処理部１００から画像データを取得する（ステップＳ３）。ステップＳ４の処理は上述と同様である。尚、ここでは、ＣＰＵ５３は、複数枚の原稿について、画像データを各々メモリ５４に記憶させることになる。また、ＣＰＵ５３は、原稿１枚毎に対応する判定結果をカラー判定処理部１０２から取得する。ステップＳ１３では、ＣＰＵ５３は、処理ブロックＡ７６´から出力されメモリ５４に記憶させた画像データのうち、集約枚数を加味した出力サイズに応じた画像データを処理ブロックＢ７７´のカラー判定処理部１２６に出力する。カラー判定処理部１２６は、上述したように、ＣＰＵ５３から入力された画像データによって表される画像のカラーモードを判定して、判定結果をＣＰＵ５３に出力する。ＣＰＵ５３は、カラー判定処理部１２６から出力された判定結果を取得すると（ステップＳ７）、判定されたカラーモード及び集約枚数に応じた画像データを処理ブロックＢ７７´に出力させるべく各種設定を行う。そして、ＣＰＵ５３は、集約枚数に応じた画像データを処理ブロックＢ７７´のフィルタ処理部１２０に出力する（ステップＳ８Ａ）。以降、ＣＰＵ５３は、上述の第１の実施の形態又は第２の実施の形態と同様にして、ステップＳ９〜Ｓ１１の処理を行う。
【００７０】
例えば、図１５に示されるように、２枚の原稿画像Ｇ５０，Ｇ５１を集約して１枚の転写紙に出力する場合、出力対象の画像Ｇ６０は、原稿画像Ｇ５０，Ｇ５１の双方を含むものとなる。原稿画像Ｇ５０全体のカラーモードは“モノクロ”と判定され、原稿画像Ｇ５１全体のカラーモードは“カラー”と判定される場合、出力対象の画像Ｇ６０のカラーモードは、“カラー”と判定される。本実施の形態においては、このように原稿画像を集約する場合であっても、より適切な画像処理を行うことができる。
【００７１】
[第６の実施の形態]
次に、画像処理装置の第６の実施の形態について説明する。なお、上述の第１の実施の形態乃至第５の実施の形態と共通する部分については、同一の符号を使用して説明したり、説明を省略したりする。
【００７２】
（１）構成
図１６は、本実施の形態にかかる画像処理装置の備える画像データ処理装置５２´の構成を示すブロック図である。本実施の形態にかかる画像データ処理装置５２´は、処理ブロックＡ８０と、処理ブロックＢ８１と、カラー判定処理部８２と、セレクタ８３，８４とを有する。処理ブロックＡ８０は、スキャナγ処理部１００を有する。処理ブロックＢ８１は、フィルタ処理部１２０と、色変換部１２１と、変倍処理部１２２と、階調処理部１２３とを有する。セレクタ８３は、スキャナγ処理部１００から出力された画像データの入力先を、カラー判定処理部８２又は処理ブロックＢ８１に切り替える。セレクタ８４は、ＣＰＵ５３から出力された画像データの入力先を、カラー判定処理部８３又は処理ブロックＢ８１に切り替える。カラー判定処理部８２の機能は、上述のカラー判定処理部１０２又はカラー判定処理部１２６の機能と略同様であり、セレクタ８３を介して入力された画像データによって表される画像が“カラー画像”か又は“モノクロ画像”かを判定して、判定結果をＣＰＵ５３に出力する。
【００７３】
このような構成によれば、画像データ処理装置５２´が複数のカラー処理判定部を有することなく、画像処理装置を低コストで構成しつつ、上述の第２の実施の形態乃至第３の実施の形態、第５の実施の形態にかかる各機能を実現可能になる。第４の実施の形態においても、処理ブロックＢ８１が領域追加部１２７を有するよう構成すれば、上述で説明した各機能を実現可能である。近年では、小型クラスのＭＦＰに求められる機能は多種多様であり、また、複雑化しているが、これらの機能を小型クラスのＭＦＰに包含させることはコストの増大が懸念される。しかし、本実施の形態の構成によれば、コストを増大させずに、上述した各実施の形態にかかる各機能を実現可能になる。
【００７４】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００７５】
＜変形例１＞
上述した各実施の形態において、画像処理装置で実行される各種プログラムを、インターネット等のネットワークに接続されたコンピュータ上に格納し、ネットワーク経由でダウンロードさせることにより提供するように構成しても良い。また当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成しても良い。
【００７６】
＜変形例２＞
上述の各実施の形態においては、複合機としての画像処理装置について説明したが、これに限定されず、複写機、プリンタ、ファクシミリ等にも各実施の形態にかかる構成を適用することが可能である。
【００７７】
＜変形例３＞
上述の第１実施の形態では、原稿画像をスキャンして画像を転写紙にコピーする場合について説明したが、原稿画像をスキャンして画像データを外部装置に送信する場合についても同様である。この場合、上述したように、色変換部１２１は、標準色空間として、画像データをRGB形式からsRGB形式に変換することにより、色変換を行う。そして、ＣＰＵ５３は、ステップＳ１０でメモリ５４に記憶させた画像データを、書込み装置５６ではなく、外部Ｉ／Ｆ装置５９を介して、ＰＣ６３やＭＦＰ６４などの外部装置に送信する。
【００７８】
第２の実施の形態乃至第５の実施の形態においては、原稿画像をスキャンして画像データを外部装置に送信する場合は、色変換部１２１は、判定されたカラーモードが“カラー”である場合に、画像データをRGB形式からsRGB形式に変換する。
【００７９】
＜変形例４＞
上述の各実施の形態においては、スキャンした原稿画像を表す画像データを処理対象としたが、これに限らず、例えば、外部装置から受信してメモリ５４に記憶された画像データを処理対象としても良い。そして、当該画像データによって表される画像の出力が操作表示装置５７を介して指示された場合に、ＣＰＵ５３は、上述のステップＳ５以降の処理、ステップＳ５´以降の処理又はステップＳ５"以降の処理を行えば良い。
【００８０】
＜変形例５＞
上述の第３の実施の形態では、操作表示装置５７を介して変倍率の指定と綴じ代の付加の指示との両方の操作入力がなされれた場合、ＣＰＵ５３は、ステップＳ５の比較においてはこれらの両方を加味しても良い。具体的には、ＣＰＵ５３は、ステップＳ５"では、原稿サイズと、操作表示装置５７から出力された制御コマンドにより指定された出力サイズと、操作表示装置５７から出力された制御コマンドにより指示された変倍率及び綴じ代の付加を加味して比較する。そしてこれらの比較の結果、原稿サイズが、た変倍率及び綴じ代の付加を加味した出力サイズより大きくなる場合、ＣＰＵ５３は、原稿画像のうち変倍により出力対象となる画像であり綴じ代を付加した画像を表す画像データを処理ブロックＢ７７´のカラー判定処理部１２６に出力する。そして、ＣＰＵ５３は、処理ブロックＢ７７における各種設定を行うと共に、当該画像データを処理ブロックＢ７７のフィルタ処理部１２０に出力する。
【００８１】
例えば、原稿サイズがＡ４の原稿をスキャンした原稿画像を拡大して且つ綴じ代を付加して、Ａ３の出力サイズで転写紙に出力する場合がある。このような場合であっても、本変形例における構成によれば、より適切な画像処理を行うことができる。
【００８２】
また、上述の第２の実施の形態及び第３の実施の形態では、カラー判定処理を行ってカラーモードを自動で判定するようにしたが、上述の第１の実施の形態と同様に、像域判定処理を行って画質モードを自動で判定するようにしても良い。この場合の画像データ処理装置５２の構成は、上述の第１の実施の形態で説明した通りである。
【００８３】
＜変形例６＞
上述の各実施の形態においては、１枚の原稿としてスキャンした原稿画像を分割して複数枚の転写紙に出力する場合にも、画質モード又はカラーモードを自動で判定するようにしても良い。具体的には、操作表示装置５７を介して出力サイズが指定され、１枚の原稿によって表される画像を複数の画像に分割することが指示されると共にその分割枚数が指定される場合、ＣＰＵ５３は、分割枚数に応じた画像データを処理ブロックＢのカラー判定処理部又は処理ブロックＢの像域分離処理部に出力する。例えば、分割枚数が２枚である場合、ＣＰＵ５３は、原稿画像を２つに分割して各画像を表す画像データを処理ブロックＢのカラー判定処理部又は処理ブロックＢの像域分離処理部に各々出力する。そして、ＣＰＵ５３は、カラー判定処理部の判定結果又は像域分離処理部の判定結果に応じて、上述の各実施の形態と同様にして処理を行う。このような場合であっても、本変形例における構成によれば、より適切な画像処理を行うことができる。
【００８４】
＜変形例７＞
上述の各実施の形態においては、原稿画像のうち、出力対象の領域が複数指定された場合にも、画質モード又はカラーモードを自動で判定するようにしても良い。具体的には、操作表示装置５７を介して出力サイズの指定、出力対象の複数の領域の指定がなされた場合、ＣＰＵ５３は、出力対象として指定された複数の領域のみを含む画像を表す画像データを処理ブロックＢのカラー判定処理部又は処理ブロックＢの像域分離処理部に出力する。そして、ＣＰＵ５３は、カラー判定処理部の判定結果又は像域分離処理部の判定結果に応じて、上述の各実施の形態と同様にして処理を行う。このような場合であっても、本変形例における構成によれば、より適切な画像処理を行うことができる。
【００８５】
＜変形例８＞
上述の第１の実施の形態において説明した画像データ処理装置５２は、像域分離処理部を１つのみ有する構成としても良い。この場合の画像データ処理装置は、第６の実施の形態において図１６で示したカラー判定処理部８２の代わりに、像域分離処理部を有するものとなる。このような構成によれは、コストを増大させずに、第１の実施の形態にかかる各機能を実現可能になる。
【００８６】
また、上述の第１の実施の形態においては、画像処理装置５０は、像域分離処理部１０１，１２４を、画像データ処理装置５２に含む構成としたが、これに限らず、画像データ処理装置５２とは別に備えるように構成しても良い。
【００８７】
上述の第２の実施の形態乃至第５の実施の形態においても同様に、画像処理装置は、カラー判定処理部１０２，１２６を、画像データ処理装置とは別に備えるように構成しても良い。
【図面の簡単な説明】
【００８８】
【図１】第１の実施の形態にかかる画像処理装置の構成を示す図である。
【図２】同実施の形態にかかる処理ブロックＡ７６の構成を示す図である。
【図３】同実施の形態にかかる処理ブロックＢ７７の構成を示す図である。
【図４】同実施の形態にかかる画像処理装置５０の行う処理の手順を示すフローチャートである。
【図５】原稿画像と、出力対象の画像との対比を示す図である。
【図６】第２の実施の形態にかかる処理ブロックＡ７６´の構成を示す図である。
【図７】同実施の形態にかかる処理ブロックＡ７７´の構成を示す図である。
【図８】同実施の形態にかかる画像処理装置の行う処理の手順を示すフローチャートである。
【図９】第３の実施の形態にかかる画像処理装置の行う画像処理の手順を示すフローチャートである。
【図１０】原稿画像と、原稿画像のうち出力対象の画像部分と、出力対象の画像との対比を示す図である。
【図１１】第４の実施の形態にかかる画像データ処理装置の有する処理ブロックＢ７７"の構成を示す図である。
【図１２】同実施の形態にかかる画像処理装置の行う処理の手順を示すフローチャートである。
【図１３】原稿画像と、出力対象の画像との対比を示す図である。
【図１４】第５の実施の形態にかかる画像処理装置の行う処理の手順を示すフローチャートである。
【図１５】原稿画像と、出力対象の画像との対比を示す図である。
【図１６】第６の実施の形態にかかる画像処理装置の備える画像データ処理装置５２の構成を示すブロック図である。
【符号の説明】
【００８９】
５０  画像処理装置
５１  読取り装置
５２  画像データ処理装置
５４  メモリ
５５  書込みＩ／Ｆ装置
５６  書込み装置
５７  操作表示装置
５８  回線Ｉ／Ｆ装置
５９  外部Ｉ／Ｆ装置
７６，７６´，７７"，８０  処理ブロックＡ
７７，７７´，７７"，８１  処理ブロックＢ
８２，８３  カラー判定処理部
８３，８４  セレクタ
１００  スキャナγ処理部
１０１  像域分離処理部
１０２  カラー判定処理部
１２０  フィルタ処理部
１２１  色変換部
１２２  変倍処理部
１２３  階調処理部
１２４  像域分離処理部
１２６  カラー判定処理部
１２７  領域追加部
【図１】
0004960911.tif 000002
【図２】
0004960911.tif 000003
【図３】
0004960911.tif 000004
【図４】
0004960911.tif 000005
【図５】
0004960911.tif 000006
【図６】
0004960911.tif 000007
【図７】
0004960911.tif 000008
【図８】
0004960911.tif 000009
【図９】
0004960911.tif 000010
【図１０】
0004960911.tif 000011
【図１１】
0004960911.tif 000012
【図１２】
0004960911.tif 000013
【図１３】
0004960911.tif 000014
【図１４】
0004960911.tif 000015
【図１５】
0004960911.tif 000016
【図１６】
0004960911.tif 000017